(57)【要約】【課題】肌への刺激が少なく、肌表面や毛穴内部の汚れを効率よく除去することができる美容器を提供する。【解決手段】美容器１は、本体部２と、本体部２の外側に配置され、多数のブラシ毛３１１を有するブラシ部３と、本体部２内に配置され、ブラシ部３を振動させる振動モータとを有している。ブラシ部３は、ブラシ毛３１１の毛先３１２のうち、最も外側に配置された毛先３１２の位置を滑らかに連ねてなる最外輪郭面３１０を有している。ブラシ毛３１１は、最外輪郭面３１０に毛先３１２ａが配置された第１ブラシ毛３１１ａと、最外輪郭面３１０よりも内側に毛先３１２ｂが配置された第２ブラシ毛３１１ｂとを有している。【選択図】図３
2018015027.tif 000002
【特許請求の範囲】
【請求項１】
本体部と、上記本体部の外側に配置され、多数のブラシ毛を有するブラシ部と、上記本体部内に配置され、上記ブラシ部を振動させる振動モータとを有する美容器であって、
上記ブラシ部は、上記ブラシ毛の毛先のうち、最も外側に配置された毛先の位置を滑らかに連ねてなる最外輪郭面を有しており、
上記ブラシ毛は、上記最外輪郭面に毛先が配置された第１ブラシ毛と、
上記最外輪郭面よりも内側に毛先が配置された第２ブラシ毛とを有している、美容器。
【請求項２】
上記最外輪郭面から上記第２ブラシ毛の毛先までの距離が０．２５〜３．０ｍｍである、請求項１に記載の美容器。
【請求項３】
上記第１ブラシ毛及び上記第２ブラシ毛は、その先端にテーパ部を有している、請求項１または２に記載の美容器。
【請求項４】
上記第１ブラシ毛及び上記第２ブラシ毛は合成繊維から構成されている、請求項１〜３のいずれか１項に記載の美容器。
【請求項５】
上記第１ブラシ毛及び上記第２ブラシ毛は波状に縮れている、請求項１〜４のいずれか１項に記載の美容器。
【請求項６】
上記第１ブラシ毛の本数は、上記ブラシ毛全体の本数の２０〜６０％である、請求項１〜５のいずれか１項に記載の美容器。
【請求項７】
上記第１ブラシ毛と上記第２ブラシ毛とが均一に混合されている、請求項１〜６のいずれか１項に記載の美容器。
【請求項８】
上記ブラシ部における隣り合う上記ブラシ毛の間隔は、毛先に近いほど広がっている、請求項１〜７のいずれか１項に記載の美容器。
【請求項９】
上記本体部は、その内部に、上記振動モータを保持するモータ保持部と、上記本体部に対して上記モータ保持部を相対的に変位可能な状態で連結する連結部と、上記モータ保持部から延設され、上記ブラシ部に接続されるブラシ取り付け部とを有しており、上記振動モータは、偏心錘を備えた回転軸を有しており、上記ブラシ取り付け部は、上記振動モータにおける上記回転軸の軸心方向と異なる方向に延設されている、請求項１〜８のいずれか１項に記載の美容器。
【発明の詳細な説明】
【技術分野】
【０００１】
本発明は、美容器に関する。
【背景技術】
【０００２】
肌の表面や毛穴の内部に付着した汚れ等を除去することを目的として、毛先を微細に振動させることができるように構成された振動ブラシが用いられることがある。この種の振動ブラシに適用される振動体駆動装置として、本体部と、本体部に支持される振動体とを備えた振動体駆動装置が提案されている（特許文献１）。この装置の本体部には、振動部としての振動モータと、振動部で発生させた振動を振動体としてのブラシ体に伝達する振動伝達軸とが設けられている。また、ブラシ体は、一方向に突出する一群のブラシ毛からなるブラシ束を有している。
【先行技術文献】
【特許文献】
【０００３】
【特許文献１】特開２０１５−２１３５５７号公報
【発明の概要】
【発明が解決しようとする課題】
【０００４】
しかし、従来の振動ブラシにおいては、ブラシ毛の毛先がブラシ束の先端面に配置されているため、ブラシ束の先端面にブラシ毛の毛先が密集している。それ故、振動を発生させた際に、隣り合うブラシ毛の毛先が干渉し、ブラシ毛の毛先の振幅が小さくなるおそれがある。
【０００５】
また、ブラシ束の先端面を肌に接触させると、ブラシ毛の毛先の大部分が毛穴以外の肌表面に押し付けられる。そのため、ブラシ毛の毛先の振動が肌表面との間の摩擦によって規制され、ブラシ毛の毛先の振幅が小さくなるおそれがある。
【０００６】
また、肌表面や毛穴内部の汚れをより効率よく除去するため、振動ブラシを使用する際に、ブラシ束に水や液状の洗浄剤等を含ませることがある。しかし、従来のブラシ束は、その先端面にブラシ毛の毛先が密集しているため、水等を含ませた際に、毛先が太い束状にまとまりやすい。そのため、ブラシ束に水等を含ませた場合には、ブラシ毛の毛先の振幅がより小さくなりやすい。
【０００７】
このように、従来の振動ブラシは、上述したブラシ毛の毛先の干渉や、ブラシ毛と肌との摩擦により、ブラシ毛の毛先の振幅が小さくなり、肌の汚れ等を効率よく除去することが難しい。
【０００８】
また、ブラシ毛の毛先が密集しているブラシ束においては、毛先を肌に接触させた際にブラシ毛が撓みにくいという問題がある。このようなブラシ束を振動させると、ブラシ束の振動がほとんどそのままブラシ毛の毛先に伝わるため、ブラシ毛の毛先と肌との摩擦が大きくなりやすい。そして、ブラシ毛の毛先と肌との摩擦が過度に大きい場合には、肌への刺激が強くなり、使用者に不快感を与えるおそれがある。
【０００９】
本発明は、かかる背景に鑑みてなされたものであり、肌への刺激が少なく、肌表面や毛穴内部の汚れを効率よく除去することができる美容器を提供しようとするものである。
【課題を解決するための手段】
【００１０】
本発明の一態様は、本体部と、上記本体部の外側に配置され、多数のブラシ毛を有するブラシ部と、上記本体部内に配置され、上記ブラシ部を振動させる振動モータとを有する美容器であって、
上記ブラシ部は、上記ブラシ毛の毛先のうち、最も外側に配置された毛先の位置を滑らかに連ねてなる最外輪郭面を有しており、
上記ブラシ毛は、上記最外輪郭面に毛先が配置された第１ブラシ毛と、
上記最外輪郭面よりも内側に毛先が配置された第２ブラシ毛とを有している、美容器にある。
【発明の効果】
【００１１】
上記美容器は、上記第１ブラシ毛と、上記第２ブラシ毛とを備えた上記ブラシ部を有している。上記第１ブラシ毛の毛先は上記ブラシ部の上記最外輪郭面に配置されており、上記第２ブラシ毛の毛先は、上記最外輪郭面よりも内側に配置されている。これにより、上記最外輪郭面における隣り合うブラシ毛の毛先の間隔を、従来の振動ブラシよりも広くすることができる。それ故、上記美容器は、上記ブラシ部を振動させた際の隣り合う上記第１ブラシ毛の毛先の干渉を従来よりも低減することができる。
【００１２】
また、上記ブラシ部は、上記最外輪郭面を肌に当接させた際に、上記第２ブラシ毛の毛先が肌表面から離隔している状態を容易に実現することができる。さらに、上記第２ブラシ毛の毛先が肌表面に当接した際の押圧力を、上記第１ブラシ毛の毛先よりも弱くすることもできる。それ故、上記第２ブラシ毛は、毛先が肌表面に当接している上記第１ブラシ毛に比べて大きい振幅で振動することができる。そして、上記第２ブラシ毛の振動が上記第１ブラシ毛に伝わることにより、上記第１ブラシ毛の毛先を効率よく振動させることができる。
【００１３】
さらに、上記ブラシ部は、上記最外輪郭面における隣り合うブラシ毛の毛先の間隔が広くなっているため、水等を含ませた際に生じるブラシ毛の束の太さを従来よりも細くすることができる。それ故、上記ブラシ部は、水等を含ませた場合にも、上記第１ブラシ毛の毛先を効率よく振動させることができる。
【００１４】
このように、上記美容器によれば、上記第１ブラシ毛の毛先の干渉を従来よりも低減するとともに、上記第１ブラシ毛の毛先を効率よく振動させることができる。その結果、上記第１ブラシ毛の振幅を従来よりも大きくし、肌表面や毛穴内部の汚れを効率よく除去することができる。
【００１５】
また、上記ブラシ部は、上記最外輪郭面における隣り合うブラシ毛の毛先の間隔が広くなっているため、上記最外輪郭面を肌に当接させた際に、上記ブラシ毛を従来の振動ブラシよりも容易に撓ませることができる。そして、上記ブラシ毛が撓んだ状態で上記ブラシ部を振動させることにより、上記ブラシ毛の毛先に伝わる振動を適度に緩和することができる。その結果、上記ブラシ部を振動させた際の肌への刺激を低減することができる。
【００１６】
以上のように、上記美容器によれば、肌への刺激を低減するとともに、肌表面や毛穴内部の汚れを効率よく除去することができる。
【図面の簡単な説明】
【００１７】
【図１】実施例１における、美容器の斜視図である。
【図２】実施例１における、美容器の下面図である。
【図３】実施例１における、美容器の側面図である。
【図４】実施例１における、美容器の部品展開図である。
【図５】実施例１における、美容器のヘッド部にモータ保持部を取り付けた状態の上面図である。
【図６】図５のVI−VI線一部矢視断面図である。
【図７】図６の要部を拡大した図である。
【図８】実施例１における、モータベースの側面図である。
【図９】実施例１における、モータ保持部の上面図である。
【図１０】図９のX−X線矢視断面図である。
【図１１】実施例１における、弾性部材の斜視図である。
【図１２】実施例１における、ブラシホルダーの下面図である。
【図１３】実施例１における、ブラシ部の最外輪郭面近傍の拡大図である。
【図１４】実施例１における、第１ブラシ毛の一例を示す平面図である。
【図１５】実施例１における、（ａ）モータ保持部の回転運動、（ｂ）この回転運動に応じたブラシ部の毛先の動きの一例を示す前面図である。
【図１６】実施例１の美容器を充電するための充電台の正面図である。
【図１７】図１６の充電台の側面図である。
【図１８】図１６のXVIII−XVIII線矢視断面図である。
【図１９】実施例２における、ブラシ部の側面図である。
【図２０】実施例３における、ブラシ部の下面図である。
【図２１】図２０のXXI−XXI線一部矢視断面図である。
【発明を実施するための形態】
【００１８】
上記美容器において、上記ブラシ部の最外輪郭面とは、ブラシ毛の毛先のうち、最も外側に配置された毛先の位置を滑らかに連ねてなる輪郭面、即ち、美容器を使用する際に肌に接触させる面をいう。最外輪郭面の形状は、上記美容器の用途や、肌表面や毛穴の汚れ等を除去しようとする部位に応じて設定することができる。
【００１９】
例えば、最外輪郭面は、平坦な形状を呈していてもよい。この場合には、例えば背中や腕部などの比較的平坦な部分において、最外輪郭面と肌との接触面積を広くし、肌表面や毛穴の汚れ等を迅速に除去することができる。また、最外輪郭面は、外周端縁よりも中央部が突出した凸曲面状を呈していてもよい。この場合には、例えば顔等の比較的起伏が大きい部分において、最外輪郭面を肌の起伏に応じて接触させ、肌表面や毛穴の汚れ等をむらなく除去することができる。
【００２０】
上記最外輪郭面から上記第２ブラシ毛の毛先までの距離は、０．２５〜３．０ｍｍとすることができる。上記距離を０．２５ｍｍ以上とすることにより、上記最外輪郭面を肌に当接させた際に、第２ブラシ毛の毛先と肌表面とが離隔した状態をより容易に実現することができる。また、第２ブラシ毛の毛先が肌表面に当接する際の押圧力をより低くすることもできる。これらの結果、第２ブラシ毛の毛先と肌との摩擦をより低減し、上記ブラシ部を振動させた際の肌への刺激をより低減することができる。
【００２１】
上記の作用効果をより確実に得る観点からは、最外輪郭面から上記第２ブラシ毛の毛先までの距離は、０．３５ｍｍ以上であることがより好ましく、０．５０ｍｍ以上であることがさらに好ましい。
【００２２】
一方、上記距離を３．０ｍｍ以下とすることにより、第２ブラシ毛の毛先を第１ブラシ毛の毛先に近い位置に配置し、第２ブラシ毛の振動を第１ブラシ毛により効率よく伝達することができる。その結果、第１ブラシ毛の毛先をより効率よく振動させることができる。さらに、この場合には、第２ブラシ毛の毛先を肌表面に接触させ、第１ブラシ毛及び第２ブラシ毛の両方により肌表面や毛穴の汚れを除去することができる。
【００２３】
それ故、上記距離を３．０ｍｍ以下とすることにより、肌表面や毛穴の汚れ等をより効率よく除去することができる。上記の作用効果をより確実に得る観点からは、最外輪郭面から上記第２ブラシ毛の毛先までの距離は、２．０ｍｍ以下であることがより好ましく、１．５０ｍｍ以下であることがさらに好ましく、１．２５ｍｍ以下であることが特に好ましい。
【００２４】
上記第１ブラシ毛及び上記第２ブラシ毛は、その先端にテーパ部、即ち毛先に近いほど外径が細くなっている部分を有していてもよい。この場合には、第１ブラシ毛及び第２ブラシ毛の毛先が肌表面に当接した際に、テーパ部をより容易に撓ませることができる。その結果、ブラシ部を振動させた際に、ブラシ部の毛先に伝わる振動を十分に緩和することができ、ひいてはブラシ部を振動させた際の肌への刺激をより低減することができる。
【００２５】
さらに、この場合には、最外輪郭面における隣り合うブラシ毛の間隔をより広くすることができる。そのため、第１ブラシ毛の振幅をより大きくし、肌表面や毛穴内部の汚れをより効率よく除去することができる。
【００２６】
テーパ部の長さは４〜１０ｍｍとすることができる。テーパ部の長さを４ｍｍ以上とすることにより、肌への刺激を低減する効果をより確実に得ることができる。一方、テーパ部の長さが過度に長くなると、第１ブラシ毛及び第２ブラシ毛のコシが低下し、かえって肌表面や毛穴の汚れを除去効率の低下を招くおそれがある。このような問題を回避する観点からは、テーパ部の長さを１０ｍｍ以下とすることが好ましい。
【００２７】
上記第１ブラシ毛及び上記第２ブラシ毛は、合成繊維から構成されていてもよい。この場合には、ブラシ毛を肌に当接させた際の肌触りに優れ、衛生管理が容易なブラシ部を得ることができる。また、ブラシ毛に水や洗浄剤等を含ませた際に形成されるブラシ毛の束の太さをより細くすることができる。更に、ブラシ毛の長さや太さを容易に制御することができるため、ブラシ毛の寸法の生産上のばらつきをより低減することができる。
【００２８】
第１ブラシ毛及び第２ブラシ毛に用いられる合成繊維としては、例えば、ポリブチレンテレフタレート、ナイロン、ポリエステル等を採用することができる。第１ブラシ毛は、１種類の合成繊維から構成されていてもよく、２種類以上の合成繊維が混在していてもよい。同様に、第２ブラシ毛は、１種類の合成繊維から構成されていてもよく、２種類以上の合成繊維が混在していてもよい。また、第１ブラシ毛と第２ブラシ毛とは、同一の合成繊維から構成されていてもよく、異なる合成繊維から構成されていてもよい。
【００２９】
上記第１ブラシ毛及び上記第２ブラシ毛は、波状に縮れていてもよい。この場合には、最外輪郭面を肌に当接させた際に、第１ブラシ毛及び第２ブラシ毛をより容易に撓ませることができる。そのため、ブラシ部を振動させた際に、ブラシ部の毛先に伝わる振動を十分に緩和することができ、ひいてはブラシ部を振動させた際の肌への刺激をより低減することができる。
【００３０】
上記第１ブラシ毛の本数は、上記ブラシ毛全体の本数の２０〜６０％であることが好ましい。第１ブラシ毛の本数をブラシ毛全体の２０％以上とすることにより、上記最外輪郭面に、第１ブラシ毛の毛先を十分に多く配置することができる。その結果、肌表面に当接する第１ブラシ毛の毛先の数を十分に多くし、第１ブラシ毛による肌表面や毛穴の汚れ等の除去をより効率よく行うことができる。汚れの除去効率をより高める観点からは、第１ブラシ毛の本数は、ブラシ毛全体の本数の３０％以上であることがより好ましく、４０％以上であることがさらに好ましい。
【００３１】
また、第１ブラシ毛の本数をブラシ毛全体の６０％以下とすることにより、上記最外輪郭面における、隣り合うブラシ毛の毛先の間隔を十分に広くすることができる。その結果、第１ブラシ毛の毛先をより効率よく振動させ、第１ブラシ毛による肌表面や毛穴の汚れ等の除去をより効率よく行うことができる。さらに、この場合には、第１ブラシ毛がより撓みやすくなるため、ブラシ部を振動させた際の肌への刺激をより低減することができる。
【００３２】
このように、第１ブラシ毛の本数を上記特定の範囲とすることにより、肌表面や毛穴の汚れ等の除去をより効率よく行うとともに、ブラシ部を振動させた際の肌への刺激をより低減することができる。
【００３３】
上記第１ブラシ毛と上記第２ブラシ毛とは均一に混合されていることが好ましい。この場合には、上記最外輪郭面に、第１ブラシ毛の毛先を均一に配置することができる。その結果、肌表面や毛穴の汚れ等の除去をより効率よく行うことができる。
【００３４】
上記ブラシ部における隣り合う上記ブラシ毛の間隔は、毛先に近いほど広がっていてもよい。この場合には、上記最外輪郭面における、隣り合うブラシ毛の毛先の間隔を十分に広くすることができる。その結果、第１ブラシ毛の毛先をより効率よく振動させ、第１ブラシ毛による肌表面や毛穴の汚れ等の除去をより効率よく行うことができる。さらに、この場合には、第１ブラシ毛がより撓みやすくなるため、ブラシ部を振動させた際の肌への刺激をより低減することができる。
【００３５】
上記ブラシ毛は、第１ブラシ毛及び第２ブラシ毛に加えて、更に、第２ブラシ毛の毛先の位置よりも内側に毛先が配置された第３ブラシ毛を有しており、該第３ブラシ毛は、第１ブラシ毛及び第２ブラシ毛に取り囲まれ、束状にまとまって配置されていてもよい。この場合には、第３ブラシ毛の束の周囲に配置された第１ブラシ毛及び第２ブラシ毛が、第３ブラシ毛の束と最外輪郭面との間に形成される空間に押し出されやすい。そして、第１ブラシ毛及び第２ブラシ毛が上記の空間に押し出されることにより、最外輪郭面における隣り合うブラシ毛の毛先の間隔をより広くすることができる。その結果、肌表面や毛穴の汚れ等の除去をより効率よく行うとともに、ブラシ部を振動させた際の肌への刺激をより低減することができる。
【００３６】
また、この場合には、液状あるいは泡状の洗浄剤を含ませた状態でブラシ部を振動させた際に、第３ブラシ毛の束と最外輪郭面との間に形成される空間に空気が入りやすくなる。それ故、ブラシ部を振動させた際に、よりきめ細かな泡を発生させ、肌表面や毛穴の汚れ等の除去をより効率よく行うことができる。
【００３７】
さらに、この場合には、ブラシ毛を洗浄する際に、第３ブラシ毛が配置された部分から多数のブラシ毛を容易に掻き分けることができる。それ故、ブラシ部の内部まで容易に洗浄を行うことができる。また、ブラシ部を洗浄した後に、短時間でブラシ部を乾燥させることができる。これらの結果、ブラシ部の衛生管理をより容易に行うことができる。
【００３８】
上記本体部は、その内部に、上記振動モータを保持するモータ保持部と、上記本体部に対して上記モータ保持部を相対的に変位可能な状態で連結する連結部と、上記モータ保持部から延設され、上記ブラシ部に接続されるブラシ取り付け部とを有しており、上記振動モータは偏心錘を備えた回転軸を有しており、上記ブラシ取り付け部は、上記振動モータにおける上記回転軸の軸心方向と異なる方向に延設されていてもよい。
【００３９】
この場合、上記振動モータにより付与される上記ブラシ取り付け部の振動は、上記回転軸の軸心方向への変位と、この軸心方向に直交する任意の方向への変位とを組み合わせた複雑な変位を含むものとなる。そして、この振動が上記ブラシ取り付け部を介して上記ブラシ部に効率よく伝わることにより、毛穴の深さ方向への変位と、この方向に直交する任意の方向への変位とを組み合わせた複雑な変位を伴う振動を上記ブラシ部の毛先に付与することができる。その結果、上記ブラシ部により、肌の表面や毛穴の内部に付着している汚れ等をより効率よく除去することができる。
【００４０】
上記連結部は、上記本体部と上記モータ保持部との間に介在させた弾性部材を有していてもよい。この場合には、振動モータを振動させた際にモータ保持部が弾性部材から反発力を受けるため、ブラシ取り付け部により効率よく振動を伝達することができる。その結果、ブラシ取り付け部の振幅をより大きくすることができ、ひいては肌の表面や毛穴の内部に付着している汚れをより効率よく除去することができる。
【００４１】
上述した「弾性部材」としては、振動モータから生じる振動に伴って容易に弾性変形可能な材質から構成されている部材を採用することができる。弾性部材としては、具体的には、天然ゴム、合成ゴム及び熱可塑性エラストマー等の公知のエラストマーからなる部材及び金属ばねや樹脂ばね等の公知のばね等を採用することができる。
【００４２】
上記連結部は、上記本体部または上記モータ保持部のいずれか一方に設けられたガイド棒と、他方に保持された上記弾性部材とを有しており、上記ガイド棒は、上記弾性部材を貫通していてもよい。この場合には、モータ保持部及びこれに連なるブラシ取り付け部が、ガイド棒に沿って比較的自由に移動することができる。そのため、ガイド棒に沿う方向へのブラシ取り付け部の振幅をより大きくすることができ、ひいては当該方向へのブラシ部の毛先の振幅をより大きくすることができる。また、この場合には、美容器の組み立てをより容易に行うことができる。
【００４３】
上記ブラシ取り付け部は、上記振動モータにおける上記回転軸の軸心方向に対して略直角方向に延設されていることが好ましい。この場合には、上記ブラシ取り付け部の振動における、上記軸心方向に直交する任意の方向への振幅をより大きくすることができる。そして、この振動がブラシ部の毛先に伝わることにより、ブラシ部の毛先を、毛穴の深さ方向により大きく振動させることができる。そのため、毛穴の内部に付着している汚れ等をより効率よく除去することができる。
【００４４】
また、この場合には、ブラシ取り付け部の振動における、上記軸心方向への振幅が過度に大きくなることを抑制することができる。その結果、ブラシ部の毛先と肌の表面との摩擦をより軽減することができる。
【００４５】
上述した「ブラシ取り付け部が振動モータにおける回転軸の軸心方向に対して略直角方向に延設されている」状態には、ブラシ取り付け部の延設方向が、回転軸の軸心方向に対して幾何学上の直角方向である状態と、回転軸の軸心方向に対して幾何学上の直角方向から若干傾いている状態とが含まれる。より具体的には、ブラシ取り付け部の延設方向と回転軸の軸心方向とのなす角度が７５〜１１５°であれば、上述した作用効果を十分に奏することができる。
【００４６】
また、ブラシ取り付け部の延設方向と回転軸の軸心方向とのなす角度が９０°に近くなるほど、毛穴の深さ方向へのブラシの振幅を大きくすることができる。かかる観点からは、ブラシ取り付け部の延設方向と回転軸の軸心方向とのなす角度を８０〜１１０°にすることが好ましく、８５〜９５°にすることがより好ましく、８８〜９２°にすることが更に好ましい。
【００４７】
上記第１ブラシ毛及び上記第２ブラシ毛は、上記ブラシ取り付け部の延設方向に沿って延びていることが好ましい。この場合には、ブラシ取り付け部の振動を効率よくブラシ部の毛先に伝達することができる。その結果、肌の表面や毛穴の内部に付着している汚れ等をより効率よく除去することができる。
【実施例】
【００４８】
（実施例１）
上記美容器の実施例について、図を用いて説明する。図１〜図３に示すように、美容器１は、本体部２と、本体部２の外側に配置され、多数のブラシ毛３１１（３１１ａ、３１１ｂ）を有するブラシ部３と、図６に示すように、本体部２内に配置され、ブラシ部３を振動させる振動モータ４とを有している。図１３に示すように、ブラシ部３は、ブラシ毛３１１の毛先３１２のうち、最も外側に配置された毛先３１２の位置を滑らかに連ねてなる最外輪郭面３１０を有している。ブラシ毛３１１は、最外輪郭面３１０に毛先３１２ａが配置された多数の第１ブラシ毛３１１ａと、最外輪郭面３１０よりも内側に毛先３１２ｂが配置された多数の第２ブラシ毛３１１ｂとを有している。
【００４９】
また、美容器１は、図６に示すように、振動モータ４を保持するモータ保持部５と、本体部２に対してモータ保持部５を相対的に変位可能な状態で連結する連結部１１（１１ａ、１１ｂ）と、モータ保持部５から延設され、ブラシ部３に接続されるブラシ取り付け部６とを有している。振動モータ４は、図６に示すように、偏心錘４１を備えた回転軸４２を有している。また、ブラシ取り付け部６は、振動モータ４における回転軸４２の軸心方向４２０と異なる方向に延設されている。
【００５０】
なお、図３、図６及び図１５においては、第１ブラシ毛３１１ａと第２ブラシ毛３１１ｂとの境界を明瞭に示したが、実際には、両者の境界が不明瞭になることがある。また、図１及び図４においては、便宜上、第１ブラシ毛３１１ａ及び第２ブラシ毛３１１ｂの記載を省略した。
【００５１】
図１〜図３に示すように、美容器１の本体部２は棒状を呈している。図４〜図６に示すように、振動モータ４及びモータ保持部５は本体部２の長手方向における端部に収容されている。なお、図４〜図６においては、簡略化のため、ネジや電線等の接続部品の記載を一部省略している。
【００５２】
図５及び図６に示すように、振動モータ４の回転軸４２は、本体部２の長手方向に沿って伸びている。また、図６に示すように、ブラシ取り付け部６は、振動モータ４における回転軸４２の軸心方向４２０に対して直角方向に延設されている。ブラシ取り付け部６は、本体部２の外部まで延設されている。また、ブラシ取り付け部６の先端には、ブラシ部３が着脱可能に取り付けられている。
【００５３】
以下において、振動モータ４における回転軸４２の軸心方向４２０を「前後方向Ｘ」、前後方向Ｘにおける振動モータ４が収容されている側を「前方Ｘ１」、その反対側を「後方Ｘ２」ということがある。また、ブラシ取り付け部６の延設方向を「上下方向Ｚ」、上下方向Ｚにおけるブラシ部３側を「下方Ｚ２」、その反対側を「上方Ｚ１」ということがある。また、前後方向Ｘ及び上下方向Ｚの両方に直交する方向を「幅方向Ｙ」ということがある。美容器１の方向に関するこれらの記載はいずれも便宜上のものであり、美容器１を実際に使用する際の向きとは何ら関係がない。
【００５４】
本例の美容器１において、前後方向Ｘにおける本体部２の断面形状は略楕円状を呈している。また、図２及び図３に示すように、前後方向Ｘにおける本体部２の中央部２０は、両端部に比べてわずかに細くなっている。
【００５５】
図１〜図３に示すように、本例のブラシ部３は、本体部２の側周面に配置されている。また、本例のブラシ部３は、図３に示すように、第１ブラシ毛３１１ａと、第２ブラシ毛３１１ｂとを有するブラシ本体３１と、ブラシ本体３１を保持するブラシホルダー３２とを有している。第１ブラシ毛３１１ａ及び第２ブラシ毛３１１ｂは、上下方向Ｚ、即ち、ブラシ取り付け部６の延設方向に沿って延びている。
【００５６】
図２及び図３に示すように、本例のブラシ本体３１は、上下方向Ｚに伸びた円柱状を呈しており、上方Ｚ１の端面においてブラシホルダー３２に保持されている。また、図３及び図１３に示すように、ブラシ本体３１の下方Ｚ２の端面には、第１ブラシ毛３１１ａの毛先３１２ａが配置されている。
【００５７】
本例の最外輪郭面３１０は、ブラシ本体３１の下方Ｚ２の端面、即ち第１ブラシ毛３１１ａの毛先３１２ａを滑らかに連ねてなる輪郭面から構成されており、図３に示すように平坦な形状を呈している。
【００５８】
第２ブラシ毛３１１ｂの毛先３１２ｂは、最外輪郭面よりも内側に配置されている。本例においては、図１３に示す、最外輪郭面３１０から第２ブラシ毛３１１ｂの毛先３１２ｂまでの距離ｄは０．２５〜３．０ｍｍである。
【００５９】
図１３に示すように、第１ブラシ毛３１１ａ及び第２ブラシ毛３１１ｂは、毛先３１２ａ、３１２ｂに近いほど外径が細くなっているテーパ部３１３を有している。テーパ部３１３の長さＬは、４〜１０ｍｍである。
【００６０】
本例のブラシ部３における、第１ブラシ毛３１１ａの材質と第２ブラシ毛３１１ｂの材質とは同一である。具体的には、本例の第１ブラシ毛３１１ａ及び第２ブラシ毛３１１ｂは、ポリブチレンテレフタレートから構成されている。また、図１４に一例を示すように、本例の第１ブラシ毛３１１ａは、波状に縮れている。図には示さないが、第２ブラシ毛３１１ｂも、第１ブラシ毛３１１ａと同様に、波状に縮れている。
【００６１】
第１ブラシ毛３１１ａの本数は、ブラシ毛３１１全体の本数の２０〜６０％である。また、第２ブラシ毛３１１ｂの本数は、ブラシ毛３１１全体の本数の４０〜８０％である。第１ブラシ毛３１１ａと第２ブラシ毛３１１ｂとは、均一に混合されている。
【００６２】
図１２に示すように、ブラシホルダー３２は、カップ状を呈するホルダー本体部３２１と、下面視におけるホルダー本体部３２１の中央に配置されたばねカバー３２２（図６参照）と、ホルダー本体部３２１とばねカバー３２２との間に保持されたブラシ装着ばね３２３とを有している。図４及び図１２に示すように、ホルダー本体部３２１の中央には、後述するシャフト６２における回転規制部６２２（図８参照）の形状に対応した六角形の貫通孔３２４が形成されている。この貫通孔３２４に回転規制部６２２を挿入するとともに溝部６２４内にブラシ装着ばね３２３を係合させることにより、ブラシ部３を着脱可能に装着することができる。また、貫通孔３２４に回転規制部６２２を挿入することにより、ブラシ部３が装着された状態において、ブラシ取り付け部６を回転中心とするブラシ部３の回転運動を規制することができる。
【００６３】
図４に示すように、本体部２は、ブラシ取り付け部６が突出している下側ハウジング２１と、ネジ２２１（図６参照）を介して下側ハウジング２１に締結される中間ハウジング２２と、中間ハウジング２２に係合される上側ハウジング２３とを有している。図１〜図３に示すように、下側ハウジング２１は、本体部２の下側半分の外壁を構成している。また、上側ハウジング２３は、本体部２の上側半分の外壁を構成している。
【００６４】
本体部２の外表面における、下側ハウジング２１と上側ハウジング２３との間には、中間ハウジング２２の外周端縁が露出している。下側ハウジング２１、中間ハウジング２２及び上側ハウジング２３は、ＡＢＳ樹脂より構成されている。また、中間ハウジング２２の表面には、導電性を有するクロムめっき膜が形成されている。
【００６５】
図６に示すように、下側ハウジング２１と中間ハウジング２２との間には、美容器１を動作させるための部品を収容する中空部２５が形成されている。図４〜図６に示すように、下側ハウジング２１の外周端縁と中間ハウジング２２の外周端縁との間には、Ｏリング２１１が狭持されている。また、図６に示すように、中間ハウジング２２と、これを下側ハウジング２１に締結するネジ２２１との間にもＯリング２２２が狭持されている。美容器１は、これらのＯリング２１１、２２２により、下側ハウジング２１と中間ハウジング２２との間から中空部２５内への水分等の浸入を防止することができるように構成されている。
【００６６】
図６に示すように、下側ハウジング２１は、ブラシ取り付け部６が突出している開口部２１２の周囲に、ブラシ収容壁部２１４を有している。ブラシ収容壁部２１４は、下側ハウジング２１から下方Ｚ２に向かって立設されている。また、ブラシ収容壁部２１４の内側には、ブラシ部３が着脱可能に取り付けられている。
【００６７】
また、図４に示すように、下側ハウジング２１は、前方Ｘ１の端部に、３本のガイド棒２４を有している。ガイド棒２４は、上方Ｚ１に向かって立設されている。また、ガイド棒２４の上端部には、Ｅリング２４１（図５及び図７参照）を取り付けるための係止溝２４２（図７参照）が形成されている。
【００６８】
図６に示すように、モータ保持部５は、ガイド棒２４に取り付けられるモータベース５１と、モータベース５１との間に振動モータ４を保持するモータカバー５２とを有している。図８〜図１０に示すように、モータベース５１は、板状部５１１と、板状部５１１から上方Ｚ１に向かって突出したモータ受け部５１２とを有している。本例の板状部５１１及びモータ受け部５１２は、ＡＢＳ樹脂から構成されている。
【００６９】
板状部５１１は、３箇所の貫通孔５１３（図１０参照）を有している。また、図７、図９及び図１０に示すように、貫通孔５１３には、弾性部材５３が上下方向Ｚの両側から取り付けられている。
【００７０】
本例の弾性部材５３は、スチレンゴムから構成されている。弾性部材５３は、図１１に示すように、ガイド棒２４が挿通される挿通孔５３１を備え、円盤状を呈するゴム基部５３２と、挿通孔５３１の周囲に立設された４箇所の突起５３３とを有している。各突起５３３の幅は、隣り合う突起５３３間の間隔と略同一となっている。
【００７１】
図１０に示すように、貫通孔５１３内においては、一対の弾性部材５３（５３ａ、５３ｂ）のうち一方の弾性部材５３ａにおける隣り合う突起５３３ａの間に他方の弾性部材５３ｂの突起５３３ｂが挿入されている。また、板状部５１１は、一対のゴム基部５３２（５３２ａ、５３２ｂ）の間に挟持されている。
【００７２】
図５〜図７に示すように、弾性部材５３には、下側ハウジング２１のガイド棒２４が挿通されている。また、図６及び図７に示すように、ガイド棒２４は、弾性部材５３の上端面よりも上方Ｚ１に突出している。図７に示すように、この突出部分には、Ｅリング２４１を取り付ける係止溝２４２が形成されている。
【００７３】
図５及び図７に示すように、係止溝２４２にＥリング２４１を取り付けることにより、下側ハウジング２１に対してモータベース５１を相対的に変位可能な状態で連結することができる。このように、本例の連結部１１は、モータベース５１の板状部５１１に保持された弾性部材５３と、下側ハウジング２１に設けられたガイド棒２４と、係止溝２４２に取り付けられたＥリング２４１とから構成されている。また、本例の美容器１は、３箇所の連結部１１を有している。各連結部１１は、本体部２に設けられたガイド棒２４と、モータベース５１に保持された弾性部材５３とを有しており、ガイド棒２４は、弾性部材５３を貫通している。
【００７４】
モータカバー５２は、図５に示すネジ５２１によりモータ受け部５１２に締結されている。モータカバー５２とモータ受け部５１２との間には、振動モータ４が狭持されている。なお、本例のモータカバー５２は、ＡＢＳ樹脂から構成されている。
【００７５】
本例の振動モータ４は、シリンダ型の振動モータ４である。振動モータ４は、回転軸４２の軸心方向４２０が本体部２の長手方向に沿うように配置されている。また、振動モータ４の偏心錘４１は、前後方向Ｘにおける前方Ｘ１側に配置されている。
【００７６】
図５及び図６に示すように、３箇所の連結部１１（１１ａ、１１ｂ）のうち２箇所の連結部１１ａは、振動モータ４の重心４０に対して回転軸４２の軸心方向４２０における前方Ｘ１側に配置されており、残る１箇所の連結部１１ｂは後方Ｘ２側に配置されている。
【００７７】
図９に示すように、ブラシ取り付け部６は、上面視において、３箇所の貫通孔５１３の中央に設けられている。図１０に示すように、ブラシ取り付け部６は、板状部５１１と一体に形成された筒状部６１と、筒状部６１を上下方向Ｚに貫通するシャフト６２とを有している。図６に示すように、筒状部６１の下方Ｚ２の端部は、下側ハウジング２１の開口部２１２を介して本体部２の外側まで延設されている。
【００７８】
また、開口部２１２における下側ハウジング２１と筒状部６１との間は、シール部材２１３により塞がれている。このシール部材２１３により、開口部２１２から中空部２５内への水分等の浸入を防止することができる。なお、本例のシール部材２１３は、ニトリルゴムから構成されている。
【００７９】
本例のシャフト６２は、金属から構成されている。図６に示すように、シャフト６２の上方Ｚ１の端部は、中空部２５内まで延設されている。また、シャフト６２の上端面には、シャフト６２と電流生成部１２（後述）とを電気的に接続するためのネジ孔６２１（図７及び図１０参照）が設けられている。図８及び図１０に示すように、シャフト６２の下方Ｚ２の端部は、筒状部６１よりも下方Ｚ２に突出している。図８に示すように、この突出部分は、六角柱状を呈する回転規制部６２２と、回転規制部６２２から下方Ｚ２に突出したブラシ係合部６２３とを有している。ブラシ係合部６２３には、ブラシ部３を係合させるための溝部６２４が設けられている。
【００８０】
本例の美容器１において振動モータ４の偏心錘４１を回転させると、その慣性により、振動モータ４が振動する。そして、振動モータ４の振動に伴って、モータ保持部５に微小な変位や傾きが発生する。モータ保持部５の変位や傾きの方向は、振動モータ４の回転数や、モータ保持部５等の具体的な形状等によって種々の方向に変化する。
【００８１】
例えば図１５（ａ）に示すように、モータ保持部５は、偏心錘４１の慣性によって、前後方向Ｘに延びた中心軸Ｃ１の周りを回転することがある（矢印Ａ１）。この回転運動がブラシ取り付け部６を介してブラシ部３に伝わると、図１５（ｂ）に示すように、ブラシ本体３１の毛先３１２ａ、３１２ｂが前後方向Ｘに延びた中心軸Ｃ２の周りを回転する（矢印Ａ２）。その結果、ブラシ毛３１１の毛先３１２ａ、３１２ｂに、幅方向Ｙへの変位及び上下方向Ｚへの変位を伴う振動が付与される。
【００８２】
図１５に示したブラシ毛３１１の毛先３１２ａ、３１２ｂの動きは一例であり、モータ保持部５が種々の方向に振動し、あるいは傾くことにより、前後方向Ｘ、幅方向Ｙ及び上下方向Ｚへの変位を組み合わせた複雑な変位を伴う振動をブラシ本体３１の毛先３１２ａ、３１２ｂに付与することができる。これにより、肌表面や毛穴Ｈの内部の汚れＤを効率よく除去することができる。
【００８３】
次に、本例の美容器１のその他の部分についてより詳細に説明する。図６に示すように、下側ハウジング２１と中間ハウジング２２との間の中空部２５には、振動モータ４に加えて、電流生成部１２及び受電コイル部１３が収容されている。電流生成部１２は、振動モータ４の駆動を制御する制御基板１２１と、制御基板１２１及び振動モータ４に電力を供給する電源部１２２とを有している。制御基板１２１と電源部１２２とは互いに係合されており、前後方向Ｘにおける美容器１の中央部に配置されている。制御基板１２１は、振動モータ４、電源部１２２、受電コイル部１３及び発光モジュール１６のそれぞれと、図示しない電線を介して電気的に接続されている。
【００８４】
本例の電源部１２２は、二次電池である。受電コイル部１３は、前後方向Ｘにおける後方Ｘ２の端部に配置されている。受電コイル部１３は、美容器１の外部に配置した送電コイルから送信された電力を受信することができるように構成されている。受電コイル部１３が受信した電力は、制御基板１２１を介して電源部１２２に充電される。
【００８５】
より具体的には、本例の美容器１は、図１６〜図１８に示す充電台７を用いて充電することができる。充電台７は、図１８に示すように、美容器１の後方端部１７、即ち受電コイル部１３が内蔵されている側の端部の形状に対応する凹部７１を有しており、凹部７１内に美容器１の後方端部１７を差し込むことができるように構成されている。また、充電台７の内部には、送電コイル７２が収容されている。送電コイル７２は、美容器１の後方端部１７が凹部７１内に差し込まれた状態において、充電台７の壁部７１１及び下側ハウジング２１（図示略）を介して受電コイル部１３と対面する位置に配置されている。
【００８６】
また、図３、図４及び図６に示すように、本例のブラシ部３は、多数の繊維からなるブラシ本体３１と、ブラシ本体３１を保持するブラシホルダー３２と、ブラシホルダー３２の外表面に配置されたブラシ電極３２５とを有している。ブラシ電極３２５は、電流生成部１２を介して電極部１４と電気的に接続されている。
【００８７】
本例のブラシ電極３２５は、電気伝導性を有するクロムめっき膜から構成されている。ブラシ電極３２５は、ホルダー本体部３２１の表面に設けられており、ブラシ装着ばね３２３を介してブラシ取り付け部６のシャフト６２と電気的に接続されている。また、シャフト６２の上方Ｚ１の端部に設けられたネジ孔６２１には、制御基板１２１から延設された電線の端子１２３（図５、図７参照）がネジにより締結されている。これにより、ブラシ電極３２５と電流生成部１２とが電気的に接続されている。
【００８８】
本例の美容器１は、使用者が電極部１４を把持するとともに、ブラシ電極３２５と肌との間に電気伝導性を有する液状や泡状などの洗浄剤を介在させることにより、使用者、ブラシ電極３２５、電流生成部１２及び電極部１４を含む閉回路を形成することができる。そして、この閉回路に微弱な電流を流すことにより、イオンクレンジングを実施し、電荷を有する汚れ成分を肌からより容易に除去することができる。
【００８９】
ここで、イオンクレンジングとは、ブラシ電極を肌に付着した汚れ成分とは反対の極性に帯電させることにより、汚れ成分をブラシ電極に引きつけて肌から汚れ成分を取り除きやすくする技術である。例えば、ブラシ電極をプラスに帯電させることで、マイナスに帯電している汚れ成分をブラシ電極に引きつけることができる。
【００９０】
本実施例のように、ブラシ電極と使用者との間の電流経路を洗浄剤から構成することにより、ブラシ毛３１１として使用可能な材料の選択肢を広くすることができる。ブラシ毛３１１としては、例えば合成樹脂等の非導電材料を使用することができる。また、熊野筆（登録商標）などを利用することもできる。
【００９１】
本例の美容器１は、下面視における下側ハウジング２１の中央部に配置されたスイッチプレート１５（図２及び図３参照）を介して制御基板１２１の切り替えスイッチ（図示略）を押し込むことにより、振動モータ４のオン状態とオフ状態との切り替え、及び、ブラシ電極３２５と電極部１４とを介して肌に流す微弱電流の発生と停止との切り替えを行うことができるように構成されている。
【００９２】
また、図６に示すように、下側ハウジング２１におけるブラシ収容壁部２１４の内側には、発光モジュール１６が配置されている。発光モジュール１６は、振動モータ４がオン状態になっているときに発光するように構成されている。
【００９３】
発光モジュール１６の下方Ｚ２は、蓋部１６１により覆われている。蓋部１６１とブラシ収容壁部２１４との間には、Ｏリング１６２が狭持されている。これにより、蓋部１６１とブラシ収容壁部２１４との間から発光モジュール１６側に水分等が浸入することを防止できる。
【００９４】
本例の美容器１の作用効果について説明する。美容器１は、多数の第１ブラシ毛３１１ａと、多数の第２ブラシ毛３１１ｂとを備えたブラシ部３を有している。そのため、最外輪郭面３１０における、隣り合うブラシ毛３１１の毛先３１２ａ、３１２ｂの間隔が従来の振動ブラシよりも広くなっている。それ故、美容器１は、ブラシ部３を振動させた際の隣り合う第１ブラシ毛３１１ａの毛先３１２ａの干渉を従来よりも低減することができる。
【００９５】
また、ブラシ部３は、最外輪郭面３１０を肌に当接させた際に、第２ブラシ毛３１１ｂの毛先３１２ｂが肌表面から離隔している状態を容易に実現することができる。さらに、第２ブラシ毛３１１ｂの毛先３１２ｂが肌表面に当接した際の押圧力を、第１ブラシ毛３１１ａの毛先３１２ａよりも弱くすることができる。それ故、第２ブラシ毛３１１ｂを第１ブラシ毛３１１ａに比べて大きい振幅で振動させ、ひいては第１ブラシ毛３１１ａの毛先３１２ａを効率よく振動させることができる。
【００９６】
また、ブラシ部３は、最外輪郭面３１０における、隣り合うブラシ毛３１１の毛先３１２ａ、３１２ｂの間隔が広くなっているため、最外輪郭面３１０を肌に当接させた際に、ブラシ毛３１１を従来の振動ブラシよりも容易に撓ませることができる。それ故、美容器１によれば、ブラシ毛３１１の毛先３１２ａ、３１２ｂに伝わる振動が適度に緩和され、ブラシ部３を振動させた際の肌への刺激を低減することができる。
【００９７】
また、最外輪郭面３１０から第２ブラシ毛３１１ｂの毛先３１２ｂまでの距離は、０．２５〜３．０ｍｍである。そのため、ブラシ部３を振動させた際の肌への刺激をより低減するとともに、肌表面や毛穴の汚れ等をより効率よく除去することができる。
【００９８】
第１ブラシ毛３１１ａ及び第２ブラシ毛３１１ｂは、毛先３１２ａ、３１２ｂに近いほど外径が細くなっているテーパ部３１３を有している。また、テーパ部３１３の長さは４〜１０ｍｍである。そのため、テーパ部３１３の撓みによりブラシ部３の毛先３１２ａ、３１２ｂに伝わる振動を十分に緩和することができ、ひいてはブラシ部３を振動させた際の肌への刺激をより低減することができる。
【００９９】
また、第１ブラシ毛３１１ａ及び第２ブラシ毛３１１ｂは、波状に縮れている。そのため、最外輪郭面３１０を肌に当接させた際に、第１ブラシ毛３１１ａ及び第２ブラシ毛３１１ｂをより容易に撓ませることができる。その結果、ブラシ毛３１１をより容易に撓ませることができ、ひいてはブラシ部３を振動させた際の肌への刺激をより低減することができる。
【０１００】
第１ブラシ毛３１１ａの本数は、ブラシ毛３１１全体の本数の２０〜６０％である。そのため、肌表面に当接する第１ブラシ毛３１１ａの毛先３１２ａの数を十分に多くし、肌表面や毛穴の汚れ等の除去をより効率よく行うとともに、ブラシ部３を振動させた際の肌への刺激をより低減することができる。
【０１０１】
また、第１ブラシ毛３１１ａと第２ブラシ毛３１１ｂとは均一に混合されている。そのため、最外輪郭面３１０に、第１ブラシ毛３１１ａの毛先３１２ａを均一に配置することができる。その結果、肌表面や毛穴の汚れ等の除去をより効率よく行うとともに、ブラシ部３を振動させた際の肌への刺激をより低減することができる。
【０１０２】
また、本体部２は、その内部に、振動モータ４を保持するモータ保持部５と、本体部２に対してモータ保持部５を相対的に変位可能な状態で連結する連結部１１と、モータ保持部５から延設され、ブラシ部３に接続されるブラシ取り付け部６とを有している。振動モータ４は、偏心錘４１を備えた回転軸４２を有している。そして、ブラシ取り付け部６は、振動モータ４における回転軸４２の軸心方向４２０と異なる方向に延設されている。
【０１０３】
そのため、振動モータ４により付与されるブラシ取り付け部６の振動は、回転軸４２の軸心方向４２０（前後方向Ｘ）への変位と、軸心方向４２０に直交する任意の方向（幅方向Ｙ、上下方向Ｚ）への変位とを組み合わせた複雑な変位を伴うものとなる。そして、この振動がブラシ取り付け部６を介してブラシ部３に効率よく伝わることにより、例えば図１３や図１５に示すように、毛穴Ｈの深さ方向（上下方向Ｚ）への変位と、この方向に直交する任意の方向（前後方向Ｘ、幅方向Ｙ）への変位とを組み合わせた複雑な変位を伴う振動をブラシ毛３１１の毛先３１２ａ、３１２ｂに付与することができる。その結果、ブラシ部３により、肌の表面や毛穴の内部に付着している汚れ等を効率よく除去することができる。
【０１０４】
さらに、本例においては、ブラシ取り付け部６は、軸心方向４２０に対して直角方向（上下方向Ｚ）に延設されている。そのため、上述したブラシ取り付け部６の振動における、軸心方向４２０に直交する任意の方向（幅方向Ｙ、上下方向Ｚ）への振幅をより大きくすることができるとともに、軸心方向４２０（前後方向Ｘ）への振幅が過度に大きくなることを抑制することができる。そのため、ブラシ毛３１１の毛先３１２ａ、３１２ｂを、毛穴の深さ方向により大きく振動させることができる。そのため、ブラシ毛３１１の毛先３１２ａ、３１２ｂと肌の表面との摩擦をより軽減しつつ、毛穴の内部に付着している汚れ等をより効率よく除去することができる。
【０１０５】
また、連結部１１は、本体部２とモータ保持部５との間に介在させた弾性部材５３を有している。そのため、振動モータ４を振動させた際にモータ保持部５が弾性部材５３から反発力を受け、ブラシ取り付け部６により効率よく振動を伝達することができる。その結果、ブラシ取り付け部６の振幅をより大きくすることができ、ひいては肌の表面や毛穴の内部に付着している汚れをより効率よく除去することができる。
【０１０６】
また、連結部１１は、本体部２に設けられたガイド棒２４と、モータ保持部５に保持された弾性部材５３とを有しており、ガイド棒２４は、弾性部材５３を貫通している。そのため、モータ保持部５及びこれに連なるブラシ取り付け部６が、ガイド棒２４に沿って比較的自由に移動することができる。その結果、ガイド棒２４に沿う方向へのブラシ取り付け部６の振幅をより大きくすることができ、ひいては肌の表面や毛穴の内部に付着している汚れをより効率よく除去することができる。また、美容器１の組み立てをより容易に行うという効果を得ることもできる。
【０１０７】
以上のように、美容器１によれば、肌への刺激を低減するとともに、肌表面や毛穴内部の汚れを効率よく除去することができる。
【０１０８】
（実施例２）
本例は、最外輪郭面３４０の形状を変更したブラシ部３０２の例である。なお、本実施例以降において用いる符号のうち、既出の実施例において用いた符号と同一のものは、特に説明のない限り、既出の実施例における構成要素等と同様の構成要素等を表す。
【０１０９】
本例のブラシ部３０２におけるブラシ本体３４は、図１９に示すように、ブラシ毛３１１の根元から先端側へ向かうにつれて拡開している。これにより、ブラシ部３０２における隣り合うブラシ毛３１１の間隔が、毛先３１２ａ、３１２ｂに近いほど広がっている。
【０１１０】
また、ブラシ部３０２の最外輪郭面３４０は、その外周端縁３４１よりも中心３４２が突出した凸曲面状を呈している。ブラシ部３０２の最外輪郭面３４０には、第１ブラシ毛３１１ａの毛先３１２ａが配置されている。また、第２ブラシ毛３１１ｂの毛先３１２ｂは、最外輪郭面３４０よりも内側に配置されている。
【０１１１】
本例のブラシ本体３４は、最外輪郭面３４０の近傍に、第１ブラシ毛３１１ａの先端部分が突出している領域Ａを有している。この領域Ａは、例えば図１９に示す側面視においては、最外輪郭面３４０に沿って形成された、比較的ブラシ毛３１１が密集していない領域として確認される。また、領域Ａよりもブラシ毛３１１の根元に近い側には、領域Ａに比べてブラシ毛３１１の毛先３１２ａ、３１２ｂが密集している領域Ｂが存在していることを確認することができる。
【０１１２】
本例における最外輪郭面３４０と第２ブラシ毛３１１ｂの毛先３１２ｂとの距離ｄは、０．２５〜３．０ｍｍである。その他は実施例１と同様である。
【０１１３】
本例のように、最外輪郭面３４０が平坦でない場合であっても、第２ブラシ毛３１１ｂの毛先３１２ｂを最外輪郭面３１０よりも内側に配置することにより、実施例１と同様の作用効果を奏することができる。また、この場合には、例えば顔等の比較的起伏が大きい部分において、最外輪郭面３４０を肌の起伏に応じて接触させ、肌表面や毛穴の汚れ等をむらなく除去することができる。
【０１１４】
また、本例のブラシ部３０２における隣り合うブラシ毛３１１の間隔は、毛先３１２ａ、３１２ｂに近いほど広がっている。そのため、最外輪郭面３４０における、隣り合うブラシ毛３１１の毛先３１２ａ、３１２ｂの間隔を十分に広くすることができる。その結果、第１ブラシ毛３１１ａの毛先３１２ａをより効率よく振動させ、第１ブラシ毛３１１ａによる肌表面や毛穴の汚れ等の除去をより効率よく行うことができる。さらに、この場合には、ブラシ部３を振動させた際の肌への刺激をより低減することができる。
【０１１５】
（実施例３）
本例は、図２０及び図２１に示すように、第１ブラシ毛３１１ａ、第２ブラシ毛３１１ｂに加えて、更に、第２ブラシ毛３１１ｂの毛先３１２ｂの位置よりも内側に毛先３１２ｃが配置された第３ブラシ毛３１１ｃを有するブラシ部３０３の例である。図２１に示すように、本例のブラシ部３０３は、実施例２と同様の形状を呈するブラシ本体３４を有している。なお、図２１においては、便宜上、ブラシホルダー３２の記載を省略した。
【０１１６】
図２０及び図２１に示すように、第３ブラシ毛３１１ｃは、第１ブラシ毛３１１ａ及び第２ブラシ毛３１１ｂに取り囲まれ、束状にまとまって配置されている。本例においては、図２０に示すように、下面視におけるブラシ本体３４の中心３４２の周囲に、３つの第３ブラシ毛３１１ｃの束が配置されている。第３ブラシ毛３１１ｃの束の太さは２ｍｍである。また、第３ブラシ毛３１１ｃの毛先３１２ｃと、ブラシ本体３４の中心３４２との高さの差は６ｍｍである。その他は実施例２と同様である。
【０１１７】
本例のブラシ部３０３においては、図２１に一例を示すように、第３ブラシ毛３１１ｃの束の周囲に配置された第１ブラシ毛３１１ａ及び第２ブラシ毛３１１ｂが、第３ブラシ毛３１１ｃの束と最外輪郭面３４０との間に形成される空間３４３に押し出されやすい。そのため、最外輪郭面３４０における隣り合うブラシ毛３１１の毛先３１２の間隔をより広くすることができる。その結果、肌表面や毛穴の汚れ等の除去をより効率よく行うとともに、ブラシ部３０３を振動させた際の肌への刺激をより低減することができる。
【０１１８】
また、この場合には、液状あるいは泡状の洗浄剤を含ませた状態でブラシ部３０３を振動させた際に、第３ブラシ毛３１１ｃの束と最外輪郭面３４０との間に形成される空間３４３に空気が入りやすくなる。それ故、ブラシ部３０３を振動させた際に、よりきめ細かな泡を発生させ、肌表面や毛穴の汚れ等の除去をより効率よく行うことができる。
【０１１９】
さらに、この場合には、ブラシ毛３１１を洗浄する際に、第３ブラシ毛３１１ｃが配置された部分からブラシ毛３１１を容易に掻き分け、ブラシ部３０３の内部の洗浄を行うことができる。また、ブラシ部３０３を洗浄した後に、短時間でブラシ部３０３を乾燥させることができる。これらの結果、ブラシ部３０３の衛生管理をより容易に行うことができる。
【０１２０】
また、本例においては、第３ブラシ毛３１１がブラシ本体３４の中心３４２の周囲に配置されている。そのため、ブラシ本体３４の中心３４２を肌に接触させ、肌表面や毛穴の汚れ等の除去をより効率よく行うことができる。さらに、第１ブラシ毛３１１ａの毛先の振幅を大きくする、洗浄剤を使用した際にきめ細かい泡を発生させる等の、上述した第３ブラシ毛３１１による作用効果を得ることもできる。
【０１２１】
本発明に係る美容器１は、上述した実施例の態様に限定されるものではなく、その趣旨を損なわない範囲で適宜構成を変更することができる。
【０１２２】
例えば、実施例３においては３つの第３ブラシ毛３１１ｃの束を有するブラシ部３０３の例を示したが、第３ブラシ毛３１１ｃの束の数やその太さ、長さ、配置は実施例３の態様に限定されるものではなく、美容器の用途等に応じて適宜変更することができる。
【符号の説明】
【０１２３】
１  美容器
２  本体部
３、３０２、３０３  ブラシ部
３１１ａ  第１ブラシ毛
３１１ｂ  第２ブラシ毛
３１２ａ、３１２ｂ  毛先
【図１】
2018015027.tif 000003
【図２】
2018015027.tif 000004
【図３】
2018015027.tif 000005
【図４】
2018015027.tif 000006
【図５】
2018015027.tif 000007
【図６】
2018015027.tif 000008
【図７】
2018015027.tif 000009
【図８】
2018015027.tif 000010
【図９】
2018015027.tif 000011
【図１０】
2018015027.tif 000012
【図１１】
2018015027.tif 000013
【図１２】
2018015027.tif 000014
【図１３】
2018015027.tif 000015
【図１４】
2018015027.tif 000016
【図１５】
2018015027.tif 000017
【図１６】
2018015027.tif 000018
【図１７】
2018015027.tif 000019
【図１８】
2018015027.tif 000020
【図１９】
2018015027.tif 000021
【図２０】
2018015027.tif 000022
【図２１】
2018015027.tif 000023